(57)【要約】【課題】スタッドボルトを挿通することでワンタッチでこのスタッドボルトの任意の位置に留め付くクリップの、このスタッドボルトからの取り外しを容易ならしめる。【解決手段】スタッドボルトＢの通し部１ａを備えた基部１を挟んだ両側にそれぞれ設けられると共にこの基部１に連接部３をもって連接された側壁部２と、スタッドボルトＢのネジ部Ｂｂに対する係合端４ａを基部１よりも挿通されるスタッドボルトＢの先端Ｂａ側に位置させるように側壁部２から内方に突き出す弾性係合片４とを有する。挿通されたスタッドボルトＢに弾性係合片４の係合端４ａを係合させた状態から連接部３を弾性変形させながら側壁部２を内側に押圧移動可能に構成されていると共に、この移動時に弾性係合片４の係合端４ａよりもスタッドボルトＢの根本側においてこの弾性係合片４に当接される当接部１ｅが前記基部１に備えられている。【選択図】図５
2011231788.tif 000002
【特許請求の範囲】
【請求項１】
スタッドボルトの通し部を備えた基部と、
この基部を挟んだ両側にそれぞれ設けられると共に、この基部に連接部をもって連接された側壁部と、
スタッドボルトのネジ部に対する係合端を前記基部よりも挿通されるスタッドボルトの先端側に位置させるように前記側壁部から内方に突き出す弾性係合片とを有しており、
挿通されたスタッドボルトに前記弾性係合片の係合端を係合させた状態から少なくとも前記連接部を弾性変形させながら側壁部を内側に押圧移動可能に構成されていると共に、
この移動時に前記弾性係合片の係合端よりもスタッドボルトの根本側においてこの弾性係合片に当接される当接部が前記基部に備えられていることを特徴とするクリップ。
【請求項２】
連接部の少なくとも一部が挿通されるスタッドボルトの中心軸に斜めに交叉する仮想の線分に沿うように設けられていることを特徴とする請求項１に記載のクリップ。
【請求項３】
基部を挟んだ両側にある側壁部間を連接させる架橋部を備えていることを特徴とする請求項１又は請求項２に記載のクリップ。
【発明の詳細な説明】
【技術分野】
【０００１】
この発明は、スタッドボルトを挿通することでワンタッチでこのスタッドボルトの任意の位置に留め付くクリップの改良に関する。
【背景技術】
【０００２】
スタッドボルトを挿通することでこのスタッドボルトの任意の位置にワンタッチで留め付くファスナとして特許文献１に示されるものがある。かかるファスナは挿通されるスタッドボルトの左右両側にそれぞれ、下方に向かうに連れてスタッドボルト側から離れるように延びる第１部材と、この第１部材の下端からスタッドボルト側に斜め上向きに延びる第２部材とからなるフィンガを持っており、この第２部材の端末にスタッドボルトのねじに係合する歯を備えている。しかるに、スタッドボルトからかかるファスナの取り外しは、「…フィンガ２８をつかみ、横方向外側に引っ張って、歯３４をねじ１６と分離させることができ、これによりファスナ２０をスタッド１０から外してまっすぐ上方に引き抜く…」（特許文献１の明細書の段落番号００１０）操作によってなされる。このため、この特許文献１のファスナは、特に、スタッドボルトからのこのファスナの取り外し作業をその作業者が片手で行ない難いものであった。
【先行技術文献】
【特許文献】
【０００３】
【特許文献１】特開２００５−５１７１３１号公報
【発明の概要】
【発明が解決しようとする課題】
【０００４】
この発明が解決しようとする主たる問題点は、スタッドボルトを挿通することでワンタッチでこのスタッドボルトの任意の位置に留め付くクリップの、このスタッドボルトからの取り外しを容易ならしめる点にある。
【課題を解決するための手段】
【０００５】
前記課題を達成するために、この発明にあっては、クリップを、スタッドボルトの通し部を備えた基部と、
この基部を挟んだ両側にそれぞれ設けられると共に、この基部に連接部をもって連接された側壁部と、
スタッドボルトのネジ部に対する係合端を前記基部よりも挿通されるスタッドボルトの先端側に位置させるように前記側壁部から内方に突き出す弾性係合片とを有しており、
挿通されたスタッドボルトに前記弾性係合片の係合端を係合させた状態から少なくとも前記連接部を弾性変形させながら側壁部を内側に押圧移動可能に構成されていると共に、
この移動時に前記弾性係合片の係合端よりもスタッドボルトの根本側においてこの弾性係合片に当接される当接部が前記基部に備えられているものとした。
【０００６】
かかる構成によれば、第一に、スタッドボルトをその先端側から基部の通し部を通じてクリップに挿通したときに、係合端をスタッドボルトのネジ部に当てる弾性係合片をこの係合端を側壁部に近づける向きに弾性変形させてかかる挿通を許容させることができる。そして、任意の位置でこの挿通を停止したときに弾性係合片を弾性復帰させてその係合端をスタッドボルトのネジ部を構成するネジ溝に入り込ませてこの任意の位置でクリップをスタッドボルトに留め付かせることができる。
【０００７】
また、第二に、クリップをスタッドボルトに留め付かせた状態から前記連接部を弾性変形させながら前記側壁部を内側に押圧させることにより、この側壁部をスタッドボルトの根本側に移動させて、スタッドボルトのネジ部から弾性係合片の係合端を抜け出させて、両者の係合を解かせることができる。それと共に、この側壁部の移動時の前記当接によって、スタッドボルトのネジ部との係合を解く位置に係合端を移動させた弾性係合片のその姿勢を前記押圧を続ける限り維持できるようにしている。すなわち、かかる当接部がなければ側壁部のスタッドボルトの根本側への移動により弾性係合片はネジ部との係合を一旦解いてもクリップをスタッドボルトの先端側に移動させた途端に弾性復帰をしてかかるネジ部に場所を変えて再び係合されるが、かかる当接部があることによりこの当接部を支点として弾性係合片の弾性復帰を阻止することができ、これにより前記押圧をなしながらのクリップのスタッドボルトの先端側への移動時にはかかる係合端が場所を変えて再びネジ部に係合することがない。
【０００８】
前記連接部の少なくとも一部を挿通されるスタッドボルトの中心軸に斜めに交叉する仮想の線分に沿うように設けさせておくことがこの発明の好適な態様の一つとされる。
【０００９】
前記基部を挟んだ両側にある側壁部間を連接させる架橋部をさらに備えさせておけば、側壁部の前記押圧に相応の力が必要となるようにして、スタッドボルトに対するクリップの留め付け力を一定以上に保つことができる。
【発明の効果】
【００１０】
この発明にかかるクリップにあっては、スタッドボルトに留め付けられたクリップにおける基部の両側にある側壁部を押圧しながらこのクリップをスタッドボルトの先端側に移動させることで、スタッドボルトに対するクリップの留め付け状態を解除して両者を分離することができ、特に作業者が片手でこの作業をなし得る特長を有している。
【図面の簡単な説明】
【００１１】
【図１】図１はクリップの斜視図である。
【図２】図２はクリップの正面図である。
【図３】図３はクリップの側面図である。
【図４】図４はスタッドボルトにクリップを留め付けた状態の断面図である。
【図５】図５は図４の状態からクリップの左右の側壁部の押圧箇所を内側に押圧してスタッドボルトに対するクリップを留め付け状態を解除させた状態の断面図である。
【発明を実施するための形態】
【００１２】
以下、図１〜図５に基づいて、この発明の典型的な実施の形態について、説明する。この実施の形態にかかるクリップＣは、スタッドボルトＢを挿通することでワンタッチでこのスタッドボルトＢの任意の位置に留め付くものである。典型的には、かかるクリップＣは、スタッドボルトＢに留め付けられてクリップＣとこのスタッドボルトＢの立設された部材との間に保持対象物を挟み込み状に保持するように用いられる。あるいはまた、かかるクリップＣは、典型的には、スタッドボルトＢに留め付けられてこのクリップＣに適宜設けられる図示しない保持部などに保持される部材をスタッドボルトＢの立設された部材にクリップＣを介して取り付けるように用いられる。図示の例では、かかるクリップＣによって、スタッドボルトＢの立設されたパネルＰ上に張り込まれる面状部材Ｍを保持するようにしている。面状部材ＭにはスタッドボルトＢの通し穴Ｍａが設けられており、この通し穴ＭａにスタッドボルトＢを通して面状部材Ｍは前記パネルＰ上に張り込まれている。クリップＣはスタッドボルトＢにおけるこの面状部材Ｍの上面から突き出されている箇所に留め付けられてパネルＰとの間で面状部材Ｍを挟み付ける。具体的には、スタッドボルトＢをその先端ＢａからクリップＣ内に受け入れるようにしてクリップＣをスタッドボルトＢの根本側に移動させる。このときはクリップＣを構成する後述の左右の弾性係合片４、４はスタッドボルトＢのネジ部Ｂｂに接してその係合端４ａ間を離れさせる向きに弾性変形してクリップＣのスタッドボルトＢの根本側への単純な移動が許容される。クリップＣが面状部材Ｍの上面に当接した位置でこの移動を停止すると弾性係合片４は弾性復帰してスタッドボルトＢのネジ部Ｂｂに係合端４ａを係合させる。これによりクリップＣはスタッドボルトＢに留め付く。
【００１３】
この実施の形態にかかるクリップＣにあっては、このようにスタッドボルトＢに留め付いた状態から、後述の左右の側壁部２、２を内側に押圧することで、前記弾性係合片４の係合端４ａとスタッドボルトＢのネジ部Ｂｂとの係合を解くことができ、そして、この押圧状態を維持しながらクリップＣをスタッドボルトＢの先端Ｂａ側に移動させることで、スタッドボルトＢから容易にクリップＣを取り外すことができるようになっている。
【００１４】
かかるクリップＣは、基部１と、側壁部２と、連接部３と、弾性係合片４と、架橋部５とを備えている。
【００１５】
基部１と架橋部５とにそれぞれ、スタッドボルトＢの通し部１ａ、５ａが設けられている。基部１の上方に基部１との間に間隔を開けて架橋部５が備えられている。基部１及び架橋部５は共に、挿通されるスタッドボルトＢの中心軸ｘに板面を直交させるように配された略正方形の板状を呈するように構成されている。そして前記通し部１ａ、５ａはこの基部１及び架橋部５に貫通状態に形成されたスタッドボルトＢの外径と略等しい丸穴として構成されている。
【００１６】
側壁部２は、前記基部１を挟んだ左右両側にそれぞれ設けられると共に、この基部１に前記連接部３をこの基部１との間に間隔を開けて連接されている。図示の例では、側壁部２は、基部１及び架橋部５の一辺の長さと同じ幅を持った板状体によって構成されている。
【００１７】
側壁部２の下端２ａは基部１の下方に位置されている。右側の側壁部２の下端２ａと基部１の右辺とが前記連接部３を介して一体に連接され、左側の側壁部２の下端２ａと基部１の左辺とが前記連接部３を介して一体に連接されている。また、右側の側壁部２の上端２ｆは架橋部５の右辺に一体に連接され、左側の側壁部２の上端２ｆは架橋部５の左辺に一体に連接されている。
【００１８】
側壁部２におけるその下端２ａから基部１の上面１ｂのレベルと略同じレベルとなる箇所までの間は挿通されるスタッドボルトＢの中心軸ｘと平行をなしており、この間が前記押圧の操作をなす押圧箇所２ｂとなっている。側壁部２におけるこの押圧箇所２ｂと架橋部５との間は上方に向かうに連れて挿通されるスタッドボルトＢの中心軸ｘに近づく向きに傾斜している。
【００１９】
連接部３は、基部１における側壁部２に向けられた厚さ側の端面１ｃと基部１の下面１ｄとの間の隅部と、側壁部２の下端２ａとの間に亘って設けられている。基部１は側壁部２の下端２ａより上方に位置されることから、連接部３は基部１の側から連接部３の下端に向かうに連れて挿通されるスタッドボルトＢの中心軸ｘから離れるように傾斜している。すなわち、連接部３は挿通されるスタッドボルトＢの中心軸ｘに斜めに交叉する仮想の線分に沿うように設けられている。
【００２０】
弾性係合片４は、挿通されるスタッドボルトＢのネジ部Ｂｂに対する係合端４ａを前記基部１よりも挿通されるスタッドボルトＢの先端Ｂａ側に位置させるように前記側壁部２から内方に突き出している。図示の例では、かかる弾性係合片４は、左右の側壁部２、２の押圧箇所２ｂの内面からそれぞれ内方に突き出されている。弾性係合片４は側壁部２よりも幅狭の板状を呈するように構成されている。側壁部２の前縁２ｄと弾性係合片４の前縁４ｄ、および側壁部２の後縁２ｅと弾性係合片４の後縁４ｅとの間には略等しい間隔が開けられている。弾性係合片４における側壁部２の押圧箇所２ｂとの連接部分４ｆは基部１の上面１ｂより下方に位置されている。弾性係合片４はこの連接部分４ｆから斜上するように設けられており、係合端４ａに向かうに連れて挿通されるスタッドボルトＢの中心軸ｘに近づく構成となっている。かかる係合端４ａは基部１における側壁部２に向けられた辺に略平行をなす直線状の縁となるように形成されている。図示の例では、弾性係合片４の上端部はスタッドボルトＢの中心軸ｘに略直交する向きにやや屈曲されており、この屈曲された上端部が前記係合端４ａとして機能するようになっている。係合端４ａの上面４ｂは挿通されるスタッドボルトＢの中心軸ｘに直交する面となっており、係合端４ａの下面４ｃはスタッドボルトＢのネジ部Ｂｂを構成する一つのネジ溝の溝壁の傾斜に倣うように構成されている。また、左右の弾性係合片４、４の係合端４ａ間の距離は、挿通されるスタッドボルトＢのネジ部Ｂｂを構成するネジ山の頂での径寸法よりもやや小さくなるようにしてある。
【００２１】
スタッドボルトＢをその先端Ｂａ側から基部１の通し部１ａからクリップＣ内に受け入れ架橋部５の通し部５ａから上方に抜け出されるように挿通すると、弾性係合片４の係合端４ａはスタッドボルトＢのネジ部Ｂｂに当たり弾性係合片４はこの係合端４ａを側壁部２に近づける向きに弾性変形してかかる挿通を許容するようになっている。そして、任意の位置でこの挿通を停止すると弾性係合片４は弾性復帰してスタッドボルトＢのネジ部Ｂｂを構成するネジ溝に係合端４ａを入り込ませこの任意の位置でスタッドボルトＢに留め付くようになっている。この留め付け状態からクリップＣを螺回させればクリップＣはスタッドボルトＢのネジ部Ｂｂに案内されてその留め付け位置を徐々に変える。
【００２２】
そして、この実施の形態にあっては、挿通されたスタッドボルトＢに前記弾性係合片４の係合端４ａを係合させた状態から少なくとも前記連接部３を弾性変形させながら側壁部２を内側に押圧移動できるようになっている。
【００２３】
図示の例では、前記弾性係合片４の直下位置には窓穴６が形成されており、左右の連接部３はそれぞれ前後の連接片３ａに区分されている。また、かかる連接部３は挿通されるスタッドボルトＢの中心軸ｘに斜めに交叉する仮想の線分に沿うように設けられていることから、左右の押圧箇所２ｂを内向きに押圧操作すると連接部３は基部１との連接箇所及び側壁部２との連接箇所を変形中心としてスタッドボルトＢの中心軸ｘに平行をなす向きに弾性変形され、側壁部２はその下端をスタッドボルトＢの根本側に移動させながら内側に移動される。このとき、図示の例では、側壁部２の上端２ｆと架橋部５との連接箇所においてもこの連接箇所の内隅の角度を狭める向きの弾性変形が生じる。そして、このように側壁部２のスタッドボルトＢの根本側への移動により、前記ネジ部Ｂｂのネジ溝の溝壁から弾性係合片４の係合端４ａが抜け出し、両者の係合が解かれるようになっている。
【００２４】
そして、この実施の形態にあっては、かかる側壁部２の移動時に前記弾性係合片４の係合端４ａよりもスタッドボルトＢの根本側においてこの弾性係合片４に当接される当接部１ｅが前記基部１に備えられている。図示の例では、前記基部１における側壁部２に向けられた厚さ側の端面１ｃをかかる当接部１ｅとして、かかる側壁部２を最も内側に押圧移動させた状態においてこの当接部１ｅが弾性係合片４の前記連接部分４ｆ側の下面に当接するようになっている。（図５）そして、この当接によって、スタッドボルトＢのネジ部Ｂｂとの係合を解く位置に係合端４ａを移動させた弾性係合片４のその姿勢を前記押圧を続ける限り維持できるようにしている。すなわち、かかる当接部１ｅがなければ側壁部２のスタッドボルトＢの根本側への移動により弾性係合片４はネジ部Ｂｂとの係合を一旦解いてもクリップＣをスタッドボルトＢの先端Ｂａ側に移動させた途端に弾性復帰をしてかかるネジ部Ｂｂに場所を変えて再び係合されるが、かかる当接部１ｅがあることによりこの当接部１ｅを支点として弾性係合片４の弾性復帰を阻止することができ、これにより前記押圧をなしながらのクリップＣのスタッドボルトＢの先端Ｂａ側への移動時にはかかる係合端４ａが場所を変えて再びネジ部Ｂｂに係合することがないようにしてある。
【００２５】
この結果、この実施の形態にかかるクリップＣにあっては、作業者が片手でクリップＣを掴んでこのクリップＣの左右の側壁部２、２を前記のように押圧しながらこのクリップＣをスタッドボルトＢの先端Ｂａ側に移動させることで、スタッドボルトＢに対するクリップＣの留め付け状態を容易に解除して両者を分離することができる。スタッドボルトＢをクリップＣから完全に抜き出させない状態から前記押圧を解くと連接部３の弾性復帰により弾性係合片４はその係合端４ａをスタッドボルトＢのネジ部Ｂｂに係合させる位置に再び復帰させる。
【００２６】
図示の例では、前記面状部材Ｍが金属パネルなどの変形不能なものである場合には、クリップＣを螺回により若干上方に移動させた後に、前記押圧箇所２ｂの押圧を行ってスタッドボルトＢからの取り外しをなすこととなる。前記面状部材Ｍがマットなどの変形可能なものである場合には、このようなクリップＣの螺回をしなくても前記押圧箇所２ｂの押圧を行ってスタッドボルトＢからクリップＣを取り外すことができる。
【００２７】
図示の例では、クリップＣの左右の側壁部２、２は、前記架橋部５よって連接されており、側壁部２の前記押圧に相応の力が必要となるようにして、スタッドボルトＢに対するクリップＣの留め付け力を一定以上に保つようにしている。かかる架橋部５は、クリップＣのこの留め付け力を一定以上に保つ構成のものであれば良く、例えば、左右の側壁部２、２の前縁間、あるいは、後縁間に亘るように設けておいても構わない。
【００２８】
この実施の形態にかかるクリップＣにおける弾性変形特性を備えるべき箇所へのこの特性の付与は、かかるクリップＣを合成樹脂の成形品とすることで、容易に実現することができる。
【符号の説明】
【００２９】
Ｂ  スタッドボルト
Ｂａ  先端
Ｂｂ  ネジ部
１  基部
１ａ  通し部
１ｅ  当接部
２  側壁部
３  連接部
４  弾性係合片
４ａ  係合端
【図１】
2011231788.tif 000003
【図２】
2011231788.tif 000004
【図３】
2011231788.tif 000005
【図４】
2011231788.tif 000006
【図５】
2011231788.tif 000007